(57)【要約】  【課題】いたずらに部品点数の増大を招くことなく、容易に扁平に折りたたむことができ、見栄えよくコードを保護できる構成の、昇降テーブルのコードホルダを実現する。  【解決手段】コード７３を保持するホルダ本体８１と、ホルダ本体８１の一端に端部の関節８７を介して傾動可能に設けられ静止部材たる配線ダクト６に取付けられる第１取付部８３と、ホルダ本体８１の他端に端部の関節８９を介して傾動可能に設けられ天板１Ａに取り付けられる第２取付部８５とを具備し、ホルダ本体８１が、端部の関節８７、８９間に中間の関節９３を有するメインカバー９１と、メインカバー９１の関節９３を避けた部位に設けられメインカバー９１の一面との間にコード挿通空間９ｓをそれぞれ形成するサブカバー９５とを備え、中間の関節９３が、メインカバー９１を構成する変形可能な部材により構成されたコードホルダ９を採用する。【選択図】図１１
2020168203.tif 000002
【特許請求の範囲】
【請求項１】
静止部材に対して天板を昇降させることができる昇降テーブルのコードホルダであって、
コードを保持するホルダ本体と、このホルダ本体の一端に端部の関節を介して傾動可能に設けられ前記静止部材に取付けられる第１取付部と、前記ホルダ本体の他端に端部の関節を介して傾動可能に設けられ前記天板に取り付けられる第２取付部とを具備し、
前記ホルダ本体が、前記端部の関節間に１以上の中間の関節を有するメインカバーと、このメインカバーの前記関節を避けた部位に設けられ前記メインカバーの一面との間にコード挿通空間をそれぞれ形成するサブカバーとを備え、
前記中間の関節が、前記メインカバーを構成する変形可能な部材により構成されたものである昇降テーブルのコードホルダ。
【請求項２】
前記メインカバーが、前記関節部分において屈曲可能な帯状のものであり、前記サブカバーが、基端縁を前記メインカバーの側縁にそれぞれ支持させ先端縁を突き合わせた対をなすフラップ部材と、これらフラップ部材の先端縁同士を係脱可能に接合する係脱要素とを備えたものである請求項１記載の昇降テーブルのコードホルダ。
【請求項３】
前記対をなすフラップ部材が、先端縁を突き合わせた状態で山形をなす請求項２記載の昇降テーブルのコードホルダ。
【請求項４】
前記メインカバー及び前記サブカバーのフラップ部材が、フェルト製のものである請求項２又は３記載の昇降テーブルのコードホルダ。
【請求項５】
前記フラップ部材の前記取付部側の端部に、先端縁側が基端縁側よりも大きく切除された切除部分が形成されている請求項２、３又は４記載の昇降テーブルのコードホルダ。
【請求項６】
前記係脱要素が、線ファスナである請求項２、３、４又は５記載の昇降テーブルのコードホルダ。
【請求項７】
静止部材に対して天板を昇降させることができる昇降テーブルのコードホルダであって、
コードを保持するホルダ本体と、このホルダ本体の一端に端部の関節を介して傾動可能に設けられ前記静止部材に取付けられる第１取付部と、前記ホルダ本体の他端に端部の関節を介して傾動可能に設けられ前記天板に取り付けられる第２取付部とを具備し、
前記ホルダ本体が、メインカバーと、前記メインカバーの一面との間にコード挿通空間をそれぞれ形成するサブカバーとを備えている昇降テーブルのコードホルダ。
【発明の詳細な説明】
【技術分野】
【０００１】
本発明は、昇降テーブルに使用されるコードホルダに関する。
【背景技術】
【０００２】
近時のオフィス等には、働き方の多様化に伴って、天板の高さ位置を任意に変更することができる種々の昇降テーブルが導入されつつある。
【０００３】
ところで、この種の昇降テーブルは、床に載置されたテーブル本体に対して天板が昇降動作するため、テーブル本体や床と天板との間を結ぶ電源コードや通信コードが乱れたり断線したりしないように保護しておく必要がある。
【０００４】
このような役割を担うべく、従来の昇降テーブルにはテーブル本体と天板との間にコードホルダが設けられることが少なくないが、従来のコードホルダには、次のような課題がある。コードホルダの一つとして、多数のコード保持ピースをジャバラ状に枢結したものが知られているが（例えば、特許文献１を参照）、このような構成のものは部品点数が多く低価格化が難しいため、高級仕様のもの以外には適用が難しい。また、樹脂製のコード保持ピースを枢結したものは、扁平に折り畳むことが難しく、また、二つ折りを想定して配置しても三つ折りになってしまい天板の降下動作に支障をきたすこともある。
【０００５】
また、布を筒状に縫製したコードホルダも知られているが（例えば、非特許文献１を参照）、このような構成のものは変形に指向性がないため、コードホルダ自体が蛇行し易い。そのため、見栄えよくコードを保護するのが難しい。
【０００６】
以上の課題は、オフィスで使用される昇降テーブルに限られるものではなく、種々の分野で用いられる昇降テーブルにおいても同様に存在する。
【先行技術文献】
【特許文献】
【０００７】
【特許文献１】特願２０１８−１２２８６３号明細書
【非特許文献】
【０００８】
【非特許文献１】“シート型チューブの選定・通販 | ＭＩＳＵＭＩ-ＶＯＮＡ[ミスミ]”、[online]、［平成31年3月22日検索］、インターネット<URL: https://r.gnavi.co.jp/847z7z150000/equipment/seat/>
【発明の概要】
【発明が解決しようとする課題】
【０００９】
本発明は、以上に述べた点に着目してなされたもので、いたずらに部品点数の増大を招くことなく、容易に扁平に折りたたむことができ、見栄えよくコードを保護できる、昇降テーブルに用いられるコードホルダを実現することを目的とする。
【課題を解決するための手段】
【００１０】
請求項１記載の発明に係る昇降テーブルのコードホルダは、静止部材に対して天板を昇降させることができるものであって、コードを保持するホルダ本体と、このホルダ本体の一端に端部の関節を介して傾動可能に設けられ前記静止部材に取付けられる第１取付部と、前記ホルダ本体の他端に端部の関節を介して傾動可能に設けられ前記天板に取り付けられる第２取付部とを具備し、前記ホルダ本体が、前記端部の関節間に１以上の中間の関節を有するメインカバーと、このメインカバーの前記関節を避けた部位に設けられ前記メインカバーの一面との間にコード挿通空間をそれぞれ形成するサブカバーとを備え、前記中間の関節が、前記メインカバーを構成する変形可能な部材により構成されたものである。
【００１１】
請求項２記載の発明に係る昇降テーブルのコードホルダは、請求項１記載のものにおいて、前記メインカバーが、前記関節部分において屈曲可能な帯状のものであり、前記サブカバーが、基端縁を前記メインカバーの側縁にそれぞれ支持させ先端縁を突き合わせた対をなすフラップ部材と、これらフラップ部材の先端縁同士を係脱可能に接合する係脱要素とを備えたものである。
【００１２】
請求項３記載の発明に係る昇降テーブルのコードホルダは、請求項２記載のものにおいて、前記対をなすフラップ部材が、先端縁を突き合わせた状態で山形をなすものである。
【００１３】
請求項４記載の発明に係る昇降テーブルのコードホルダは、請求項２又は３記載のものにおいて、前記メインカバー及び前記サブカバーのフラップ部材が、フェルト製のものである。
【００１４】
請求項５記載の発明に係る昇降テーブルのコードホルダは、請求項２、３又は４記載のものにおいて、前記フラップ部材の前記取付部側の端部に、先端縁側が基端縁側よりも大きく切除された切除部分が形成されているものである。
【００１５】
請求項６記載の発明に係る昇降テーブルのコードホルダは、請求項２、３、４又は５記載のものにおいて、前記係脱要素が、線ファスナであるものである。
【００１６】
請求項７記載の発明に係る昇降テーブルのコードホルダは、静止部材に対して天板を昇降させることができる昇降テーブルのコードホルダであって、コードを保持するホルダ本体と、このホルダ本体の一端に端部の関節を介して傾動可能に設けられ前記静止部材に取付けられる第１取付部と、前記ホルダ本体の他端に端部の関節を介して傾動可能に設けられ前記天板に取り付けられる第２取付部とを具備し、前記ホルダ本体が、メインカバーと、前記メインカバーの一面との間にコード挿通空間をそれぞれ形成するサブカバーとを備えているものである。
【発明の効果】
【００１７】
本発明によれば、いたずらに部品点数の増大を招くことなく、容易に扁平に折りたたむことができ、見栄えよくコードを保護できる、昇降テーブルに使用するコードホルダを実現することができる。
【図面の簡単な説明】
【００１８】
【図１】本発明の一実施形態に係る昇降テーブルを示す正面図。
【図２】同実施形態に係る昇降テーブルを示す左側面図。
【図３】同実施形態に係る昇降テーブルを示す背面図。
【図４】同実施形態に係る昇降テーブルを示す平面図。
【図５】同実施形態に係る昇降テーブルを示す底面側斜視図。
【図６】同実施形態に係る昇降テーブルの天板を除いた状態を示す斜視図。
【図７】同実施形態に係るコードホルダを示す平面図及び正面図。
【図８】図７におけるＡ−Ａ線に沿った断面図。
【図９】図７におけるＢ−Ｂ線に沿った断面図。
【図１０】同実施形態に係るコードホルダの使用態様を示す斜視図。
【図１１】図１におけるＸ−Ｘ線に沿った断面の要部の拡大図。
【発明を実施するための形態】
【００１９】
本発明の一実施形態を図面を参照しつつ説明する。
【００２０】
本実施形態は、オフィス等で使用される昇降テーブルに本発明を適用した場合のものである。
【００２１】
昇降テーブルＴは、図１〜図５に示すように、天板１Ａ、１Ｂと、天板１Ａ、１Ｂを高さ位置調節可能に支持する複数の脚支柱２Ａ、２Ｂと、脚支柱２Ａ、２Ｂをそれぞれ受入れ保持する複数の脚保持部材４Ａ、４Ｂと、これら脚保持部材４Ａ、４Ｂ同士を下端以外の部位において連結するフレーム５とを具備してなる。
【００２２】
詳述すれば、この昇降テーブルＴは、図１〜図５に示すように、前の天板１Ａと後の天板１Ｂとを具備し、前の天板１Ａの左右両端部を前の脚支柱２Ａによりそれぞれ支持するとともに、後の天板１Ｂの左右両端部を後の脚支柱２Ｂによりそれぞれ支持してなるものであって、前の脚支柱２Ａを保持する前の脚保持部材４Ａと、前記後の脚支柱２Ｂを保持する後の脚保持部材４Ｂと、これら前、後の脚保持部材４Ａ、４Ｂを相互に連結するフレーム５とを備えた側端構造体３を左右に具備している、デュアルタイプのものである。そして、左の側端構造体３のフレーム５と右の側端構造体３のフレーム５とを配線ダクト６により連結している。
【００２３】
前、後の脚支柱２Ａ、２Ｂは同一の構成を有している。これら前、後の脚支柱２Ａ、２Ｂを区別することなく総称する場合は、「脚支柱２」と称する。各脚支柱２は、図２、図５及び図６に示すように、下段ハウジング１１と、上段ハウジング１５とをテレスコープ状に組み合わせ、内部の図示しない電動アクチュエータにより、それらのハウジング１１、１５を伸縮動作させるように構成されたもの（例えば商品名「電動昇降装置」、リナック株式会社製）である。脚支柱２の構成は、通常のものであるため、詳細な説明は省略する。なお、符号１７は、内部の電動アクチュエータに電力を供給するための電力系のコードである。
【００２４】
配線ダクト６は、板金素材に折り曲げ加工を施すことにより一体に形成されたもので、ダクト本体３１と、このダクト本体３１に着脱可能に装着された蓋体３３とを備えている。ダクト本体３１は、図２、図５、図６及び図１１に示すように、底板４３と、この底板４３の両側縁から斜め外側上方に延出された下側板４５と、これら下側板４５の上縁から外方に延出させた水平板４７と、これら水平板４７の延出端からそれぞれ斜め外側上方に延出させた上側板４９とを備えている。蓋体３３は、図６に示すように、底壁５１の両側縁に鉛直壁５３を一体に設けた断面コ字型のもので、鉛直壁５３を下方に向けてうつ伏せ姿勢でダクト本体３１に装着したり、鉛直壁５３を上方に向けて仰向け姿勢でダクト本体３１に装着したりすることができるようになっている。この実施形態においては、昇降テーブルＴの蓋体３３は左右方向に２つ隣接させて配されている。一方の蓋体３３はうつ伏せ姿勢でダクト本体３１に装着してあり、他方の蓋体３３は仰向け姿勢でダクト本体３１に装着してある。
【００２５】
また、配線ダクト６の両端付近には、図６に示すように、デスクトップパネル７の取付台８が配されており、この取付台８にデスクトップパネル７が取り付けられるようになっている。
【００２６】
このようにして立設された複数本の脚支柱２Ａ、２Ｂにより、天板１Ａ、１Ｂを高さ位置変更可能に支持している。具体的には、前の天板１Ａの左右両端部を左右対をなす前の脚支柱２Ａによりそれぞれ支持するとともに、後の天板１Ｂの左右両端部を左右対をなす後の脚支柱２Ｂによりそれぞれ支持している。
【００２７】
詳述すれば、図２、図５及び図６に示すように、各脚支柱２Ａ、２Ｂの上端には天板１Ａ、１Ｂの下面を受ける天板受け６１と、これら天板受け６１から水平方向に延設されたアーム６３とが固設されており、左右に隣接する脚支柱２Ａ、２Ｂのアーム６３同士を天板支持フレーム６５により連結している。天板１Ａ、１Ｂは、これら天板受け６１及び天板支持フレーム６５に図示しないネジ等の止着具を用いて止着されている。
【００２８】
この実施形態においては、図４に示すように、前の天板１Ａと後の天板１Ｂとの間にデスクトップパネル７を配置するのに十分な隙間ｄ０、例えば９０ｍｍ程度の隙間が形成されており、前の天板１Ａと後の天板１Ｂとをそれぞれ独立して下限位置（Ｄ）から上限位置（Ｕ）までの間で高さ位置を無段階に変更することができるようになっている。
【００２９】
さらに本実施形態では、図６に示すように、天板支持フレーム６５にコントロールボックス７１を支持させている。このコントロールボックス７１には、内部の電動アクチュエータに電力を供給するための電力系のコード１７、及び床下からこのコントロールボックス７１に電力を供給するための電力系のコード７３が接続されている。すなわち、コントロールボックス７１から延びる電力系のコード７３は、コードホルダ９を通して配線ダクト６に導かれ、この配線ダクト６に案内されてその端部から床Ｆ上に導出されている。
【００３０】
このコードホルダ９は、図６〜図１１に示すように、コード７３を保持するホルダ本体８１と、このホルダ本体８１の一端に端部の関節８７を介して傾動可能に設けられ静止部材である配線ダクト６に取付けられる第１取付部８３と、ホルダ本体の他端に端部の関節８９を介して傾動可能に設けられ天板１Ａ、１Ｂに取り付けられる第２取付部８５とを具備し、前記ホルダ本体８１が、前記端部の関節８７、８９間に１以上、本実施形態では１つの中間の関節９３を有するメインカバー９１と、このメインカバー９１の前記関節９３を避けた部位に設けられ前記メインカバー９１の一面との間にコード挿通空間９ｓをそれぞれ形成するサブカバー９５とを備えたものである。
【００３１】
詳述すれば、ホルダ本体８１は、前述したようにメインカバー９１とサブカバー９５とを備えている。メインカバー９１は、外カバー部９１ａと、この外カバー部９１ａの内面に添接された内カバー部９１ｂとを備えた二重構造をなすフェルト製のもので、中間の関節９３の部分において屈曲可能な帯状のものである。すなわち、中間の関節９３は、このメインカバー９１を構成する変形可能な部材であるフェルトにより構成されている。なお、外カバー部９１ａと内カバー部９１ｂとの間には隙間９１ｓが形成されている。
【００３２】
サブカバー９５は、基端縁を前記メインカバー９１の側縁にそれぞれ支持させ先端縁を突き合わせた対をなすフラップ部材９７と、これらフラップ部材９７の先端縁同士を係脱可能に接合する係脱要素である線ファスナ９９とを備えたものである。フラップ部材９７は、先端縁を突き合わせた状態で山形をなすフェルト製のものであり、取付部８３、８５側の端部に、先端縁側が基端縁側よりも大きく切除された切除部分９７ａが形成されている。線ファスナ９９は、フラップ部材９７の先端部に基端側が縫着されたテープ９９ａと、このテープ９９ａの先端側に設けられ互いに接離し得る務歯９９ｂと、スライド動作によりこれら務歯９９ｂの接離を操作するためのスライダ９９ｃとを有するものである。
【００３３】
第１取付部８３は、メインカバー９１の内カバー部９１ｂから一体に延出するフェルト片９２の先端側に形成された取付部本体８３ａと、この取付部本体８３ａの外面すなわち下面に添接する磁石８３ｂと、この磁石８３ｂの脱落を防止すべく磁石８３ｂの下面に添設され外周近傍部が取付部本体８３ａに縫着された磁石カバー８３ｃとを備えている。そして、磁石８３ｂの磁力を利用して配線ダクト６に吸着させることにより、コードホルダ９を配線ダクト６に取り付けるようにしている。具体的に説明すれば、この実施形態では、図１１に示すように、仰向け姿勢でダクト本体３１に装着されている蓋体３３の底壁５１にコードホルダ９の第１取付部８３を吸着させてある。そして、フェルト片９２の基端側が、ホルダ本体８１と第１取付部８３との間の端部の関節８７として機能する。
【００３４】
第２取付部８５は、メインカバー９１の外カバー部９１ａと内カバー部９１ｂとの間の空間に基端部が配され、内カバー部９１ｂに縫着された帯状の可撓シート１０１の先端側に形成されている。具体的には、図１０に示すように、この第２取付部８５は、可撓シート１０１の複数箇所にハトメ８５ａをカシメつけてネジ挿通孔８５ｘを形成したもので、そのネジ挿通孔８５ｘに下側から挿通させたネジ１０３を天板１Ａ、１Ｂの下側に埋設された図示しないナットに螺着することにより天板１Ａ、１Ｂの下面に取り付けられる。そして、可撓シート１０１の基端側でメインカバー９１の外に露出した部分が、ホルダ本体８１と第２取付部８５との間の端部の関節８９として機能する。
【００３５】
そして、コントロールボックス７１から延びる電力系のコード７３は、図６に示すように、天板支持フレーム６５に設けられたコード挿通孔を通して天板１Ａの下側空間に導出され、この天板１Ａの下面に取り付けられているコードホルダ９の上端開口部９ａからコード挿通空間９ｓ内に導かれている。そして、コード挿通空間９ｓ内のコード７３は、当該コードホルダ９の下端開口部９ｂから配線ダクト６上に導出され、この配線ダクト６に案内されて昇降テーブルＴの端部まで導かれる。端部まで導かれたコード７３は、床Ｆ上に下ろされて床下のコンセント等に接続される。
【００３６】
この実施形態の作動を説明すれば、前の脚支柱２Ａを伸縮させることにより前の天板１Ａを昇降させることができる。前の天板１Ａを昇降させると、この天板１Ａと共通の配線ダクト６との間の距離が変化し、その間に介設された前のコードホルダ９がパンタグラフ的に屈曲変形することになる。同様に、後の脚支柱２Ｂを伸縮させることにより後の天板１Ｂを昇降させることができる。後の天板１Ｂを昇降させると、この天板１Ｂと共通の配線ダクト６との間の距離が変化し、その間に介設された後のコードホルダ９がパンタグラフ的に屈曲変形することになる。図１〜図５は、前の天板１Ａを低い位置に保持し、後の天板１Ｂを高い位置に停止させた状態を示している。天板１Ａ、１Ｂが高い位置に存在している場合には、コードホルダ９の屈曲度合いが小さく、天板１Ａ、１Ｂが降下するに従ってコードホルダ９の屈曲度合いが大きくなっていく。
【００３７】
このような構成のものであれば、中間の関節９３が、メインカバー９１を構成する変形可能な部材により構成されているので、少ない部品点数により、コードホルダ９全体を屈曲変形させることができ、天板１Ａ、１Ｂの昇降動作にかかわらずコード７３を傷まないようにコード挿通空間９ｓ内に保持することができる。その上、天板１Ａ、１Ｂが昇降する際には、コードホルダ９は関節８７、８９、９３の存在によりパンタグラフ的に屈曲変形する動作のみを行うので、天板１Ａ、１Ｂを下限まで降下させた場合にコードホルダ９を容易に扁平に折りたたむことができ、天板１Ａ、１Ｂの下方にコードホルダ９を見栄えよく収めることができる。
【００３８】
また、メインカバー９１及びサブカバー９５のフラップ部材９７が、フェルト製のものであるので、天板１Ａ、１Ｂを下限まで降下させた時に潰れるように可撓変形するため、コードホルダ９が天板１Ａ、１Ｂを降下させる動作の邪魔にならないようにすることができる。その上、メインカバー９１及びサブカバー９５のフラップ部材９７が、フェルト製のものであることにより、コードホルダ９の製造を主として縫製作業により完了させることができるので、製造工数を効果的に削減することができる。さらに、フェルト製のメインカバー９１の中間部を中間の関節９３としているので、滑らかに湾曲する関節９３を実現することができ、コード７３に無理な力がかかることも抑制できる。
【００３９】
加えて、サブカバー９５が、基端縁をメインカバー９１の側縁にそれぞれ支持させ先端縁を山形に突き合わせた対をなすフラップ部材９７と、これらフラップ部材９７の先端縁同士を係脱可能に接合する線ファスナ９９とを備えているので、線ファスナ９９を開閉することによりコード７３の設置やメンテナンスを容易に行うことができる。さらに、線ファスナ９９を完全に解放することにより、コード挿通空間９ｓ内を全面的に外部に解放することができるので、配線の作業性を向上させることもできる。
【００４０】
フラップ部材９７の取付部８３、８５側の端部に、先端縁側が基端縁側よりも大きく切除された切除部分９７ａが形成されているので、天板１Ａ、１Ｂが上昇しホルダ本体８１と取付部８３、８５との間の角度が９０度に近くなった場合であっても、ホルダ本体８１の両端近傍に上端開口部９ａ及び下端開口部９ｂを確保することができる。
【００４１】
なお、本発明は以上に述べた実施形態に限らない。
【００４２】
例えば、上述した実施形態では、コードホルダの第１取付部を静止部材である配線ダクトに取り付けるようにしているが、床材等、配線ダクト以外の静止部材に取り付けるようにしてもよい。
【００４３】
また、上述した実施形態では、コードホルダのホルダ本体が二つ折り状態になるようにすべく、ホルダ本体に中間の関節を１つだけ設けているが、ホルダ本体の中間の関節は複数設けるようにしてもよい。
【００４４】
さらに、上述した実施形態では、メインカバー及びサブカバーのフラップ部材がフェルト製のものであるが、これらをフェルト以外の材料により構成してもよい。また、サブカバーのフラップ部材は、上述した実施形態では先端縁を突き合わせた状態で山形をなすものであるが、ドーム状等、他の形状を採用してもかまわない。
【００４５】
加えて、上述した実施形態では、メインカバーの外カバー部と内カバー部との間に隙間を設けているが、この隙間を必ずしも設ける必要はない。但し、このような隙間を有するものであれば、その隙間に芯材を挿入してコードホルダの変形箇所を関節部分のみに限定させるようにすることも可能になる。
【００４６】
その上、上述した実施形態では、メインカバーが端部の関節間に中間の関節を有しているが、メインカバーが中間の関節を有しない態様を採用してもよい。このような態様の一例として、メインカバーが変形不能であり、第１又は第２取付部の一方が静止部材又は天板にスライド可能に保持されているとともに他方が静止部材又は天板に相対位置を変更不能に保持されている態様が挙げられる。このような態様であっても、天板が昇降する際には、コードホルダはメインカバーの形状が保たれたまま一方の取付部が静止部材又は天板に対してスライド移動し、端部の関節の屈曲角度が変化するので、部品点数のいたずらな増大を防ぎつつ、天板を下限まで降下させた場合にコードホルダを容易に扁平に折りたたむことができ、天板の下方にコードホルダを見栄えよく収めることができる。また、他の一例として、メインカバーが可撓性を有し端部の関節間において所定の（例えば天板に直交する）平面と平行な状態を保ちつつ湾曲可能なものも挙げられる。このような態様であっても、天板が昇降する際には、メインカバーが所定の平面と平行な状態を保ちつつ全体的に湾曲するので、部品点数のいたずらな増大を防ぎつつ、天板を下限まで降下させた場合にコードホルダを容易に扁平に折りたたむことができ、天板の下方にコードホルダを見栄えよく収めることができる。
【００４７】
そして、昇降テーブルの構成は、天板が静止部材に対して昇降可能なものであればどのようなものであってもよく、天板を１枚のみ有するもの等であってもよい。
【００４８】
その他、本発明の趣旨を損ねない範囲で種々に変形してよい。
【符号の説明】
【００４９】
Ｔ…昇降テーブル
１Ａ、１Ｂ…天板
６…静止部材（配線ダクト）
９…コードホルダ
９ｓ…コード挿通空間
８１…ホルダ本体
８３…第１取付部
８５…第２取付部
８７、８９…端部の関節
９１…メインカバー
９３…中間の関節
９５…サブカバー
【図１】
2020168203.tif 000003
【図２】
2020168203.tif 000004
【図３】
2020168203.tif 000005
【図４】
2020168203.tif 000006
【図５】
2020168203.tif 000007
【図６】
2020168203.tif 000008
【図７】
2020168203.tif 000009
【図８】
2020168203.tif 000010
【図９】
2020168203.tif 000011
【図１０】
2020168203.tif 000012
【図１１】
2020168203.tif 000013